(57)【特許請求の範囲】
【請求項１】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、前記クロック干渉制御手段は、前記無線通信手段が通信中の場合は前記変調に対応したクロック周波数拡散幅を狭くし、非通信中の場合は前記クロック周波数拡散幅を広くするように前記クロック信号変調手段を制御することを特徴とする請求項１記載の無線機能付き情報処理装置。
【請求項２】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、前記クロック干渉制御手段は、前記無線通信手段の通信品質が良い場合は滑らかな波形で前記クロックを変調し、前記通信品質が悪い場合は急峻に変化する部分を有する波形で前記クロックを変調するように、前記クロック信号変調手段を制御することを特徴とする無線機能付き情報処理装置。
【請求項３】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、前記クロック干渉制御手段は、前記無線通信手段の通信品質が悪い場合はランダムな形状の連続波で前記クロックを変調するように、前記クロック信号変調手段を制御することを特徴とする無線機能付き情報処理装置。
【請求項４】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、前記クロック干渉制御手段は、前記無線通信手段の通信品質が悪い場合は前記クロックの変調周波数を変更するように、前記クロック信号変調手段を制御することを特徴とする無線機能付き情報処理装置。
【請求項５】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、複数種類の前記無線通信手段の内の一つを選択的に使用可能な前記情報処理装置であって、それぞれの前記無線通信手段に対応する無線周波数帯域の情報と、それぞれの前記無線通信手段の通信方式に対応する前記クロック信号の周波数拡散幅の情報とを格納する記憶手段を備え、前記クロック干渉制御手段は、前記記憶手段の情報を参照して前記拡散変調幅を設定するように、前記クロック信号変調手段を制御することを特徴とする請求項１記載の無線機能付き情報処理装置。
【請求項６】
無線通信手段を有する情報処理装置において、
情報処理に用いるクロック信号を変調するクロック信号変調手段と、該クロック信号の変調に起因した電磁波が前記無線通信手段の無線周波数帯域に干渉するのを軽減又は除去するクロック干渉制御手段とを有し、前記クロック干渉制御手段は、前記クロックの中心周波数、周波数拡散幅、変調周波数、変調波形、または変調の有無の少なくとも一つを含む第一の情報と、前記無線通信手段の無線通信周波数帯、通信方式、通信品質、又は通信の有無の少なくとも一つを含む第二の情報とを参照して、前記無線通信手段の通信状態を良くするように前記クロック信号変調手段を制御することを特徴とする無線機能付き情報処理装置。
【発明の詳細な説明】
【０００１】
【発明の属する技術分野】
本発明は、ノートパソコン及び携帯情報機器などの情報処理装置であって、その情報処理装置に接続または装着する小型の無線機またはカード型の無線通信手段を使用して、遠隔地の相手と無線通信ができる無線機能付き情報処理装置に関する。
【０００２】
【従来の技術】
近年、電子機器、ノートブックパソコン等の装置に搭載されたカード形状の回路あるいはプリント基板上で動く回路のクロック信号の速度が高速化してきたことに伴い、そのクロック信号に起因した電磁波が、無線通信周波数帯に放出され電波ノイズとなる機器間での電磁干渉（ＥＭＩ）が問題となっている。
【０００３】
そのため、各装置は、自装置と他機器など外部の装置との間で生じるＥＭＩ（Ｅｌｅｃｔｒｏｍａｇｎｅｔｉｃ    ｉｎｔｅｒｆｅｒｅｎｃｅ）対策として、構造的に電磁波をシールドして放射をなくす対策や、電気的な信号処理により放射される電磁波スペクトルの強度を弱める対策をとって、国際的なＥＭＩ規格（ＣＩＳＰＲ規格）や国内規格（ＶＣＣＩ規格）を満足させている。
【０００４】
構造的なＥＭＩ対策は、装置内部で使用する高密度実装したプリント基板そのもの、又はそれら基板の間で電磁干渉する部分を特別に囲う構造にしたり、構造材料を電磁シールド材に変えたり、電磁シールドを強化する部材を付加し、また装置筐体やケースなど全体を覆う電磁シールドを施して、外部への電磁波放射を防止している。
【０００５】
電気的なＥＭＩ対策は、ノートブック型のパーソナルコンピュータ（ノートブックパソコン）などの情報処理装置のクロック周波数を時間的に変化させるクロック信号の周波数変調を行って、クロック信号のスペクトラムを周波数軸上でそのエネルギーを広く拡散させている。このクロックのスペクトラム拡散により、拡散変調する前に生じていた強いレベルの線状スペクトラムは、周波数軸上で幅広く拡散すると同時に弱いレベルのスペクトラムに低減できることから、外部への電磁波放射を弱めている。
【０００６】
このようにコンピュータのクロック信号源にスペクトラムを拡散させる変調技術は、他機器と電磁干渉するのを軽減するＥＭＩ対策として有効に機能するため、最近のノートブックパソコンなどはこのクロック拡散を行っている。
【０００７】
図１４は、従来技術の無線機能付き情報処理装置のブロック図である。
図１４に示すように従来技術の無線機能付き情報処理装置４は、情報処理手段５と無線通信手段６とで構成されており、情報処理手段５のクロック信号周波数は、無線通信手段６が使用する無線通信周波数とは独立した関係で動作をしていた。
【０００８】
図１４の情報処理手段５に内蔵するスペクトラム拡散機能付クロック信号源１１１は、無線通信手段６の周波数的には関係しない正弦波（例を図９（ａ）に示す）または図示しない三角波などのクロック拡散変調用の波形を発生する機能も有しており、そのような波形の変調波を用いて従来技術の無線機能付き情報処理装置４のクロック信号を幅広く周波数軸上でスペクトラム拡散させていた。
【０００９】
図１１を用いて、変調波と周波数スペクトラムの関係を以下に説明する。図１１（ａ）は、スペクトラム拡散しなかった場合のクロック信号のスペクトラムを示す。この拡散しない線状のスペクトラムは、周波数軸上でクロックの発振周波数（基本波ｆｏ）とその高調波（ｆｏ，２ｆｏ，３ｆｏ，，，ｎｆｏ）で強いレベルの線スペクトラムとなって存在している。
【００１０】
図１１（ｂ）は、図１１（ａ）に示すクロック信号を周波数変調してスペクトラム拡散させた場合のスペクトラム例である。この拡散させたスペクトラムは、基本波とその高調波が周波数軸上で幅のあるレベルの弱いスペクトラムとなり分散している。こうしたスペクトラムの拡散は、例えば、スペクトラム拡散する前に図１１（ａ）に示したような基本波のスペクトラムがＥＭＩ基準値を少しオーバーしていたとしても、クロックのスペクトラム拡散変調により、図１１（ｂ）に示すようにクロックの基本波およびその高調波が周波数軸上で幅のあるスペクトラムになって広く拡散が行われると共に、上限のＥＭＩ基準値を超えない低い電磁波レベルとなり、ＥＭＩ基準を満足させている。このスペクトラム拡散技術は、ＥＭＩ対策には、実に有効である。
【００１１】
また、装置内部の機器間電磁干渉に対する従来技術の対策は、無線機の受信機の中で信号処理回路等に使用するクロックに起因する電磁波が、その無線機の受信機に入り込んで無線通信を干渉させないように、前述ＥＭＩ対策に用いたクロックのスペクトラム拡散技術により、独立してクロック信号の周波数拡散を行いスペクトラムレベルを弱めていた。
【００１２】
また、別の従来技術例は、無線機が使用するクロックの高調波が、その無線機が通信する無線周波数帯に影響するかどうかを、クロックの高調波発生周波数と無線機受信周波数とを無線機に内蔵するコンピュータによって、事前に計算させ、重なる場合にはクロック信号源の周波数を制御し、その高調波が無線機の受信周波数に重ならないようにクロックの周波数を偏移させていた。
【００１３】
【発明が解決しようとする課題】
図１４に示すように従来技術の無線機能付き情報処理装置４は、無線通信手段６と情報処理手段５とはクロックの周波数に関して互いに独立の関係にあり、情報処理手段５（コンピュータ）は、無線通信手段６に関係することなく、ＥＭＩ基準を満たすために、その内部クロック信号源に対して独自に一定の拡散用変調波で周波数変調を行い、強いレベルの電磁波ノイズがでないようにスペクトラム拡散していたので、ある特定の無線通信周波数で無線通信ができない問題があった。
【００１４】
また、情報処理手段５自体のクロックは、ＥＭＩ基準を十分に満たすため、拡散変調幅を広範囲にスペクトラム拡散するので、拡散させたクロックの基本波やその高調波が、従来技術の無線機能付き情報処理装置４のデータ伝送に使用する無線通信手段６の無線通信周波数帯で多くのチャンネルと重なってしまい、無線機の無線通信チャンネルの大半に受信ノイズとして現れることとなり、無線通信チャンネルによっては無線通信ができなくなる又は無線通信の品質が悪化する問題を生じさせていた。
【００１５】
このことは、情報処理手段５が無線通信するために、無線通信手段６を自己の情報処理装置カードスロット内部へ装着することによって、種々の無線通信モジュールである無線通信手段６は、実に悪い無線通信環境を与えられたこととなり、その至近距離で生じる情報処理手段５からのクロック信号の基本波や高調波が僅かな量の電磁波であっても、無線通信手段６の無線通信周波数帯と重なって干渉しないようにするのが困難な問題となっていた。
【００１６】
情報処理手段５のコンピュータが、そのクロックの基本波やその高調波による電磁波放射レベルを下げるために拡散幅を広くとることと、無線通信手段６の無線通信周波数帯（有効チャンネル数）を多く確保することとは、互いにトレードオフの関係にあり、この関係は情報処理装置に内蔵または至近距離において使用する無線通信手段６を持った情報処理装置の基本的な問題となっている。
【００１７】
また、ノート型パソコンなどの情報処理装置に付いているカードスロットに入れる無線通信手段６の無線通信モジュールの種類が異なった場合、無線通信する使用無線通信周波数帯や通信方式が種々に変わるため、例えば、８００ＭＨｚ帯で周波数分割複信（ＦＤＤ）方式を使用するＰＤＡ（Ｐｅｒｓｏｎａｌ  Ｄｉｇｉｔａｌ  Ａｓｓｉｓｔａｎｔｓ）モジュール、１．９ＧＨｚ帯で時分割複信（ＴＤＤ）方式を使用するＰＨＳ（Ｐｅｒｓｏｎａｌ  Ｈａｎｄｙｐｈｏｎｅ  ｓｙｓｔｅｍ）モジュール、２ＧＨｚ帯で符号分割多元接続（ＣＤＭＡ）方式のＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）対応モジュールなどと変わることによって、情報処理手段５のスペクトラム拡散機能付クロック信号源１１１から同じクロック信号の基本波やその高調波の電磁波が出ても、無線通信手段６に与える電磁干渉とその影響が、その無線通信手段６の無線通信モジュールの種類毎によって多かったり少なかったりする問題があった。
【００１８】
また、無線通信手段６により使用周波数帯や通信方式が色々と変わっても、無線通信手段６とは周波数的に独立動作関係にあるスペクトラム拡散機能付クロック信号源１１１としては、無線通信手段６の使用周波数帯等の変更に対して最適な拡散変調を行うことができない問題があった。
【００１９】
また、無線通信手段６は、通信周波数帯で使用している通信周波数が高速で変更する方式もあるため、スペクトラム拡散機能付クロック信号源１１１で一律の拡散変調を行っているような場合は、そのクロックの基本波と高調波による拡散周波数帯と無線通信手段６が使用する無線通信周波数帯とが重なっても、その重なりからの回避ができず、通信ができないあるいは通信品質が悪化するような事態に陥ることが多かった。
【００２０】
また、情報処理装置カードスロットなどに内蔵させないで近傍において使用する無線通信手段６において、ノートブックパソコンのような情報処理装置単体としてはＥＭＩ性能を満足し、また、無線通信手段６の無線機単体として十分な電磁シールドを施して内部の電磁波がアンテナに回り込まないように作られて問題がないようにしていたとしていても、情報処理装置の近傍に置かれた無線通信手段６の無線機動作は、その情報処理装置が発するクロックの基本波やその高調波などの電磁波の漏れがごく僅かであっても、至近距離であるため、その無線機のアンテナに入ってしまい電磁干渉を起こすことになる。その結果、無線機の無線通信チャンネルを電磁干渉して使用不可、又は有効通信チャンネルを減らす、あるいは通信品質を悪化させてしまうので、こうした情報処理装置に外付けの無線通信手段６での電磁干渉問題の回避も困難な問題であった。
【００２１】
本発明は、以上のような問題を解決し、従来技術の無線機能付き情報処理装置４における情報処理手段５と無線通信手段６の両方の機能及び性能を劣化させることもなく、その情報処理装置に装着または内蔵させるなどして使用する無線通信手段６の無線通信環境を常に最適な環境にし、良好な通信ができるようにすると共にＥＭＩ対策を行うことを目的とする。
【００２２】
【課題を解決するための手段】
上記目的を達成するため、図１の本発明の無線機能付き情報処理装置の原理図を用いて、以下説明する。
【００２３】
請求項１に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し前記クロック干渉制御手段３０が、前記無線通信手
段が通信中の場合は前記変調に対応したクロック周波数拡散幅を狭くし、非通信中の場合は前記クロック周波数拡散幅を広くするように前記クロック信号変調手段１１を制御することを特徴とする無線機能付き情報処理装置１である。
【００２４】
このようなクロック干渉制御手段３０を設けることで、該クロック信号変調手段１１から該無線通信手段２０に干渉する電磁波を軽減又は除去することができ、該無線通信手段２０は良好な無線通信環境で通信をすることができ、さらにクロック干渉制御手段３０により、通信中の周波数拡散幅を非通信中に比べて狭くすることができ、通信中の該無線通信手段２０の使用周波数帯チャンネルと該クロック信号変調手段１１からのスペクトラム拡散した電磁波とが重なり合って通信障害を起こす率を少なくすることができるので、該無線通信手段２０が使用できる無線通信周波数帯のチャンネルを多く確保することができる。
【００２６】
このようなクロック干渉制御手段３０により、通信中の周波数拡散幅を非通信中に比べて狭くすることができ、通信中の該無線通信手段２０の使用周波数帯チャンネルと該クロック信号変調手段１１からのスペクトラム拡散した電磁波とが重なり合って通信障害を起こす率を少なくすることができるので、該無線通信手段２０が使用できる無線通信周波数帯のチャンネルを多く確保することができる。
【００２７】
請求項２に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し、前記クロック干渉制御手段３０が、前記無線通信手段２０の通信品質が良い場合は滑らかな波形で前記クロックを変調し、前記通信品質が悪い場合は急峻に変化する部分を有する波形で前記クロックを変調するように、前記クロック信号変調手段１１を制御することを特徴とする無線機能付き情報処理装置１である。
【００２８】
このように該無線通信手段２０から通信中の通信品質が悪い情報により、クロック信号の中心周波数付近にスペクトラムを生じさせない急峻に変化する部分を有する波形を持った変調波（非連続変調波）を選んでクロック信号変調手段１１を周波数変調することにより、該無線通信手段２０が使用している通信チャンネルに電磁干渉をすることを軽減または除去することができる。
【００２９】
請求項３に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し、前記クロック干渉制御手段３０が、前記無線通信手段２０の通信品質が悪い場合はランダムな形状の連続波で前記クロックを変調するように、前記クロック信号変調手段１１を制御することを特徴とする無線機能付き情報処理装置１である。
【００３０】
このように該無線通信手段２０からの通信品質が悪い情報により、繰り返しのある変調波から繰り返しがランダムな雑音又は擬似雑音を変調波として選び、クロック信号変調手段１１を周波数変調することで拡散スペクトラムに強い線スペクトラムをなくし、周波数軸上でレベルが弱く一様な雑音スペクトラムにすることができ、該無線通信手段２０が使用している通信チャンネルへの電磁干渉を軽減または除去することができる。
【００３３】
請求項４に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し、前記クロック干渉制御手段３０が、前記無線通信手段２０の通信品質が悪い場合は前記クロックの変調周波数を変更するように、前
記クロック信号変調手段１１を制御することを特徴とする無線機能付き情報処理装置である。
【００３４】
このように該無線通信手段２０から通信品質が悪い情報により、変調波の変調周波数を変更してクロック信号変調手段１１を周波数変調することで、該無線通信手段２０が使用している通信チャンネルへの電磁干渉を軽減または除去することができる。
【００３５】
請求項５に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し、複数種類の前記無線通信手段２０の内の一つを選択的に使用可能な前記情報処理装置１であって、それぞれの前記無線通信手段２０に対応する無線周波数帯域の情報と、それぞれの前記無線通信手段２０の通信方式に対応する前記クロック信号の周波数拡散幅の情報とを格納する記憶手段３１を備え、前記クロック干渉制御手段３０は、前記記憶手段３１の情報を参照して前記拡散変調幅を設定するように、前記クロック信号変調手段１１を制御することを特徴とする請求項１記載の無線機能付き情報処理装置１である。
【００３６】
このように無線通信手段２０の通信周波数帯と通信方式の種類が変わっても、無線通信手段２０が使用する通信周波数帯と通信方式の分かる情報をクロック干渉制御手段３０に入力することで、クロック信号変調手段１１で発生するクロックに起因する電磁波が通信周波数帯の全てに重ならないような狭いスペクラム拡散幅のデータを記憶手段３１より選んで、クロック信号変調手段１１を周波数変調をすることができ、少なくとも無線通信手段２０の通信チャンネルの確保をすることができる。
【００３７】
請求項６に記載の発明は、無線通信手段２０を有する情報処理装置において、情報処理に用いるクロック信号を変調するクロック信号変調手段１１と、該クロック信号の変調に起因した電磁波が前記無線通信手段２０の無線周波数帯域に干渉するのを軽減又は除去するクロック干渉制御手段３０とを有し、前記クロック干渉制御手段３０が、前記クロックの中心周波数、周波数拡散幅、変調周波数、変調波形、または変調の有無の少なくとも一つを含む第一の情報と、前記無線通信手段２０の無線通信周波数帯、通信方式、通信品質、又は通信の有無の少なくとも一つを含む第二の情報とを参照して、前記無線通信手段２０の通信状態を良くするように前記前記クロック信号変調手段を制御することを特徴とする無線機能付き情報処理装置１である。
【００３８】
クロック信号変調手段１１を変調設定をするための判断と処理手順を予めクロック干渉制御手段３０の記憶手段３１に入れておくことで、前記第一と第二の情報により自動的にクロック中心周波数、変調幅、変調周波数、変調波形（繰返波形と擬似雑音波形の選択、連続波形と非連続波形）の選択、変調の停止などの最適化変調制御を行うことができ、無線通信相手装置２との間での無線環境が変化して通信周波数が変わっても、確実に通信をするようにクロック干渉制御手段３０が制御して通信周波数帯（チャンネル）を確保することができる。
【００３９】
【発明の実施の形態】
以下、図面を参照しながら、本発明の実施の形態を説明する。
図２は、本発明の無線機能付き情報処理装置の実施例（以下、本発明の装置と言う）ブロック図であり、ＣＰＵ１２などを駆動するクロック１１２をスペクトラム拡散をさせるための変調端子を有するクロック信号源１１０を持ったコンピュータ１００と、コンピュータ１００からのデータをアンテナ２１を用いて伝送するための無線通信モジュール２００と、前記クロック信号源１１０を周波数変調する変調波形データや無線通信モジュール２００毎に最適な変調制御を行うデータや手順などを格納した記憶回路３１１の参照情報と、無線通信モジュール２００からの通信開始終了信号８１、回線品質信号８２、モジュール種別信号８３の情報とにより、その使用する無線通信モジュール２００の無線通信環境を良くするための変調信号９１を自動的に発生させるクロック制御回路３００とで構成したものである。
【００４０】
コンピュータ１００は、例えばノートブック型パソコンと同様な機能を持つものであって、内部のクロック信号源１１０によりクロック信号をＣＰＵ１２，メモリ１３、チップセット１４、ビデオチップ１５などへ供給して各回路を駆動させ情報処理させるものである。
【００４１】
また、無線通信モジュール２００は、携帯無線機のＰＤＡ（ＰｅｒｓｏｎａｌＤｉｇｉｔａｌ    Ａｓｓｉｓｔａｎｔｓ）やＰＨＳ（Ｐｅｒｓｏｎａｌ    Ｈａｎｄｙｐｈｏｎｅ    Ｓｙｓｔｅｍ）と同様な機能を持つもので無線通信相手局と通信ができる小型の無線機である。その無線通信モジュール２００からは、無線通信モジュール種別、通信開始終了の状態、通信回線品質の情報を出力できるものである。
【００４２】
本発明の無線機能付き情報処理装置１の構造としては、図示しないが全体が小型軽量で手で持ち運びができるものであって、例えばカードスロットを有するノートブック型パソコンと同様な構造のものである。また、そのカードスロットには、各種のカード型機能モジュール（例えば、前記の無線通信モジュール２００など）が抜き差し装着ができる構造を持つものである。
【００４３】
無線通信モジュール２００としては、例えば、８００ＭＨｚ帯で使用するＰＤＡ、または１．９ＧＨｚ帯で使用するＰＨＳなどであって、各種の通信用途や相手により、その無線通信モジュール２００を取り変えて、前記のカードスロットに差し込み使用を変更することができる小型のカード型無線機である。
【００４４】
図２に示す本発明の無線機能付き情報処理装置１の内部で接続する信号線は、無線通信モジュール２００から出力されてクロック制御回路３００に接続する通信開始終了信号８１、回線品質信号８２、モジュール種別信号８３の三つの信号線と、クロック制御回路３００からコンピュータ１００のクロック信号源１１０に接続する変調信号９１の一つの信号線との総計４本である。
【００４５】
通信開始終了信号８１は、無線通信モジュール２００が動作し、通信を開始した時から通信中の状態を示す信号であり、例えば、通信中はＨレベルになり、通信を終了した時から次の通信の開始直前までは非通信中で、例えばＬレベルとなるような無線通信中を示す信号である。
【００４６】
回線品質信号８２は、無線機が通信中において、常に変化する無線通信の通信品質状況を表す情報であり、無線通信モジュール２００から出てくる通信中のビットエラーレイト（ＢＥＲ）である。
【００４７】
モジュール種別信号８３は、前述の各種の無線機（ＰＤＣ、ＰＨＳなど）により異なるもので、実際に前記カードスロットに挿入し装着した無線通信モジュール２００から得られる信号であり、その装着した無線通信モジュール２００の種別（例えば、ＰＤＣ、ＰＨＳなどの通信方式の種別、使用周波数帯、チャンネルの周波数幅、チャンネル総数等）が分かる情報を持った信号である。
【００４８】
変調信号９１は、コンピュータ１００のクロック信号源１１０を周波数変調するため、前記の無線通信モジュール２００からの３種の信号情報に従って、クロック制御回路３００の記憶回路３１１にある判断および処理手順で自動的に最適な信号を生成した信号である。
【００４９】
次に、本発明の装置の動作について、図を用いて以下に説明する。
図３は、本発明の動作を説明するフローチャート（その１）であり、本発明の基本的な動作を表すものである。図３において、本発明の装置が動作スタートする（ステップＳ１０）と、クロック制御回路３００が本発明の無線機能付き情報処理装置のカードスロット内にどんな種別の無線通信モジュール２００が差し込まれているかをモジュール種別信号８３を見て判断し、変調パラメータの初回設定に必要なモジュール種別毎のクロック拡散幅（ΔＦ）データ（例えば、ＰＤＣモジュールでは拡散幅ΔＦ＝αｗ％、またはＰＨＳモジュールでは拡散幅ΔＦ＝βｗ％にしたプリセットデータ）を格納されている記憶回路３１１より事前に用意し（ステップＳ２０）、次に無線通信モジュール２００からの通信開始終了信号８１を見て、実際に通信中か否かを見て（ステップＳ３０）、カードスロットに無線通信モジュール２００が差し込まれていないことも含めた非通信中の場合は幅広い周波数帯に渡ってクロック信号源１１０をスペクトラム拡散させる変調幅（ΔＦ）を（例えば、ＰＤＣモジュールはαｗ％、ＰＨＳモジュールではβｗ％）に設定し（ステップＳ４０）、通信中の場合は、比較的に幅の狭い周波数帯に渡ってスペクトラムを拡散させる変調幅に設定し（ΔＦ）（例えば，ΔＦを中心周波数で除した拡散割合（％）で言うと、ＰＤＣモジュールはα％（α＜αｗ）、ＰＨＳモジュールではβ％（β＜βｗ））（ステップＳ５０）、次に通信中および非通信中で設定された条件に従った変調幅（ΔＦ）の拡散変調をクロック信号源１１０に対して行い（ステップ６０）、クロック信号をコンピュータ１００の各部に出力（ステップ７０）する。
【００５０】
図４は、本発明の動作を説明するフローチャート（その２）であり、基本的な動作は図３と同じであるが、図３のフローチャートの変調幅ΔＦ  を小さくするステップ（ステップＳ５０）において、通信中に無線通信モジュール２００から得た回線品質信号８２のビット・エラー・レイト（ＢＥＲ）値を見て（ステップＳ５２１）、そのＢＥＲがある値（図４に示すｊ％）より、大きい（通信状態が悪い）時には変調幅を極端に小さくした無変調の状態（変調ＯＦＦ）に設定（ステップＳ５２３）する判断と変更のステップを追加した点が異なっている。
【００５１】
非通信時にクロックの拡散変調しているクロック信号源１１０は通信中になった時その拡散変調を停止（ＯＦＦ）させると、ある特定のポイント周波数（クロック信号の基本波やその高調波）にのみ強い線状のスペクトラムを発生させるので、そのポイント周波数に重なった無線通信チャンネルは、電磁干渉を起こして無線通信ができなくなるが、即ち、そのクロックの基本波やその高調波のポイント周波数でのみ重なり使用できないが、しかしそれ以外の多くの通信チャンネル（例えば、モジュールの使用周波数帯Ｓ（ＭＨｚ）毎に決まっているチャンネル幅ｂ（ＫＨｚ）のチャンネル数がｍ個のもの）では、線状スペクトラムと重なった一部の通信チャンネル（ｄ個）が利用できないだけで、残りの大半の通信チャンネル（ｍ−ｄ個、ｍ＞＞ｄ）は無線通信に利用できる。クロック拡散変調をしている状態を通常としているような無線機能付き情報処理装置１では、その拡散変調をＯＦＦとすることで通信中の無線通信チャンネルを多く確保できることになる。
【００５２】
この変調ＯＦＦの使用は、クロック信号源１１０を拡散変調をしないのであるから、拡散変調をしない場合にもクロックの基本波やその高調波が無線機能付き情報処理装置１の外に漏れ放射されても他機器に電磁干渉を起こさせない量を定めたＥＭＩ基準を満足させる場合に限り使用できるので注意せねばならない。
【００５３】
図５は、本発明の動作を説明するフローチャート（その３）であり、基本動作は図３と同じであるが、相違点は、図３の変調幅（ΔＦ）を小さくするスペクトラム拡散幅を狭める場合（ステップＳ５０）において、無線通信モジュール２００から得られる回線品質信号８２のデータ内容であるＢＥＲ値により変調波形を連続波かまたは急峻に変化する部分を有する非連続的な波形かの選択をさせた点にあり、クロック制御回路３００が無線通信モジュール２００から得た回線品質信号８２のＢＥＲ値がある値（図５のｋ％）より，大きい（悪い）か小さい（良好）かを見て（ステップＳ５３１）、ＢＥＲが小さい（良好）時はクロックの拡散域全域にほぼ一様にスペクトラムが存在する連続波を選んで狭い拡散変調幅で変調する変調波を選択し（ステップＳ５３２）（図１１（ｃ）参照）、ＢＥＲが大きい（悪い）時は、前述のような非連続な波形を選んでクロックの中心周波数付近でのＢＥＲ値を下げ良好な通信することを狙った変調波として用い、前記連続波を用いた変調幅に比べて中心から少し離れた両外側にスペクトラムエネルギーを押し広げて中心周波数には強いスペクトラムがなくなるようにさせる変調波を選択している（ステップＳ５３３）（図１１（ｄ）参照）。
【００５４】
このようなクロックの基本波やその整数倍の高調波の中心周波数付近でＢＥＲを下げることを狙った非連続な波形での拡散変調は、クロックの基本波やその高調波が無変調時に周波数軸上で存在していた線状スペクトラムの位置に、スペクトラムの強いレベルのものがなくなる訳で、その中心周波数付近で電磁干渉を受けて無線通信をしていた無線機に対しては、電磁干渉を軽減し通信品質を良くすることとなるのである。
【００５５】
図６は、本発明の動作を説明するフローチャート（その４）であり、基本動作は図３と同じであるが、相違点は、図３の変調幅（ΔＦ）を小さくするスペクトラム拡散幅を狭める場合（ステップＳ５０）において、無線通信モジュール２００から得る回線品質信号８２のデータ内容のＢＥＲ値により変調波を繰り返しのある例えば正弦波のような信号か繰り返しのない雑音または擬似雑音のような信号かを選択させる点にあり、クロック制御回路３００が無線通信モジュール２００から得る回線品質信号８２のＢＥＲ値がある値（図６のｌ％）より，大きい（悪い）か小さい（良好）かを見て（ステップＳ５４１）、ＢＥＲが小さい（良好な）時は繰り返しのある変調波を選択（ステップＳ５４２）し、ＢＥＲが大きい（悪い）時には繰り返しのない変調波（擬似雑音）を選択（ステップＳ５４３）するようにしている。
【００５６】
図示しないが、規則的な繰り返しを持たない白色雑音のような性質で振幅密度分布がガウス状をした雑音または繰り返し周波数が不規則とみなせるほど長い擬似雑音（ＰＮ）により、クロック信号源１１０を変調すると、クロックの中心周波数（基本波）およびその高調波のスペクトラムの分布は、繰り返しのある変調波の場合のように変調周波数（ｆｍ）間隔で無限個に並ぶ側波帯スペクトラム（線スペクトラム）とはならず、繰り返し周波数もランダムである雑音および擬似雑音は繰り返しの線スペクトラムがないので、繰り返しのある変調波に生じていた線スペクトラムと次の線スペクトラムとの間の周波数にもスペクトラムを更に拡散させることができるので、クロック信号のスペクトラムを設定された拡散帯域幅内で一様に弱いレベルで拡散できるため、従って、雑音変調波により、拡散帯域幅内のスペクトラムを更に弱いスペクトラムに変えることができる。
【００５７】
このような擬似雑音（ＰＮ雑音）でクロックを変調した場合は、その拡散したスペクトラムレベルを、繰り返しのある変調波に比べて更に低減することができるので、無線通信モジュール２００への電磁干渉も更に軽減すことができる。
【００５８】
本発明では、ＢＥＲを常に見て変調波を最適なものを選択することができるので、この擬似雑音を記憶回路３１１に記憶させておき、必要によりそれを取り出して変調させるようにしておくことで、無線通信モジュール２００が無線通信する時の通信品質を向上させる変調波形の一つとすることができるのである。
【００５９】
図７は、本発明の動作を説明するフローチャート（その５）であり、基本動作は図３と同じであるが、相違点は図３の変調幅（ΔＦ）を小さくするスペクトラム拡散幅狭める場合において（ステップＳ５０）、通信中はＢＥＲ値が時間的に変化して、そのＢＥＲ値を新しく計測した値（ＢＥＲｎ）と前回計測した時の値（ＢＥＲｎ−１）とを比べることで（ステップＳ５５１）、今回のＢＥＲ値の方が前回より悪化した場合、クロック信号源１１０の中心周波数を変更し（ステップＳ５５２）、また今回のＢＥＲ値が前回のＢＥＲ値より同等以上良ければクロックの中心周波数を変更しない処理とする点である。
【００６０】
このようにすることで、例えば無線通信の周波数を変えたような無線通信環境の変化時や変調波を変えた時などのＢＥＲ値が、前回に比べて今回が悪化するような場合、クロックの中心周波数（ｆｏ）を変更することにより、クロックの基本波やその高調波が無線通信周波数帯の使用チャンネル内に重なって落ち込むのを避けることができるのである（図９（ｅ）参照）。
【００６１】
図８は、本発明の無線機能付き情報処理装置の動作を説明するフローチャート（その６）であり、基本動作は図３と同じであるが、相違点は図３のΔＦを小さくするスペクトラム拡散幅を狭める場合に（ステップＳ５０）、通信中のＢＥＲの値が時間的に変化（例えば、０．０１％、０．１％、１％）して、そのＢＥＲ値を新しく計測した値（ＢＥＲｎ）と前回の計測した値（ＢＥＲｎ−１）とを比べて（ステップＳ５６１）、今回のＢＥＲ値が悪化したような場合にクロックの変調周波数（ｆｍ）を変更し（ステップＳ５６２）、また悪化せず同等以上良いならば変調周波数（ｆｍ）を変更しないようにした点である。
【００６２】
このようにすることで、ＢＥＲ値が前回に比べ、今回が間違いなく悪化した場合には、クロックの変調周波数（ｆｍ）を変化して変調することで、繰り返しがある変調波でクロックを変調したクロック出力が変調周波数（ｆｍ）間隔で生じていた側帯波スペクトラムは一様な弱いスペクトラムに変えることができ、クロックの基本波や高調波の線状の側帯波スペクトラムを使用無線通信周波数帯チャンネル内に落ち込むのを避けることができ、良好な通信ができるのである。
【００６３】
次に変調波とそれによる周波数変調を行ったクロックのスペクトラムの関係を図を用いて説明する。
図９は、繰り返しのある連続波で正弦波を変調波として用いた場合の周波数変調スペクトラムを表すものである。
【００６４】
図９（ａ）は、大きい振幅値（最大振幅値±Ｖ１）を持った正弦波であり、繰り返し周波数がｆｍ［Ｈｚ］である変調波である。この図８（ａ）の変調波でクロック信号源１１０を周波数変調をした変調度大の場合の周波数スペクトラム分布（変調幅ΔＦ＝２ΔＦ１、ｆｏ±ΔＦ１）を図９（ｂ）に示す。
【００６５】
図９（ｂ）のスペクトラムは、ＦＭ信号のスペクトラムであって、一般に知られているように搬送波周波数（ｆｏ）スペクトルとこれを中心にして変調周波数（ｆｍ）の間隔で無限個に並ぶ側波帯スペクトラムとからなり、側波帯スペクトラムの振幅は変調度（ΔＦ／ｆｍ）の値によって決まる第１種ｎ次ベッセル関数で、搬送波周波数（ｆｏ）から離れると振動を繰り返しながら減衰していく振幅をもつものである。
【００６６】
図９（ｃ）は、図９（ａ）の変調波と同じ正弦波で、振幅を小さくしただけの波形（最大振幅値＝±Ｖ２、Ｖ２＜Ｖ１）であって、この図９（ｃ）の変調波でクロック信号源を周波数変調した変調度小の場合、拡散幅の小さい周波数スペクトラム（変調幅ΔＦ＝±ΔＦ２、ΔＦ２＜ΔＦ１）である図７（ｄ）に示す。
【００６７】
図９（ｅ）は、前記図９（ｃ）の変調波で変調し、クロックの発振中心周波数をｆｏ［Ｈｚ］からｆｏ２［Ｈｚ］に偏移させた場合のスペクトラム分布であって、クロックのスペクトラムと無線通信チャンネルとが重なるのを避けるときに中心周波数を変更したスペクトラム例である。
【００６８】
このようにして図９（ｂ）のスペクトラムを図９（ｄ）又は（ｅ）のように変化させて、拡散する変調幅を±ΔＦ１［Ｈｚ］から±ΔＦ２［Ｈｚ］に小さくしたり、スペクトラムの中心周波数をｆｏ［Ｈｚ］からｆｏ２［Ｈｚ］に偏移させることにより、無線通信モジュール２００が通信している無線周波数帯の使用チャンネルにコンピュータ１００のクロック信号源１１０からの基本波や高調波の電磁波スペクトラムが現れないように制御することができるのである。
【００６９】
図１０は、繰り返しのある波形で時間軸上で急峻に変化する部分を有する非連続的な波形の変調波でクロックを周波数変調した場合の周波数スペクトラムを表すものである。
【００７０】
図１０（ａ）は、前記非連続的な波形の変調波であり、繰り返しを持つ信号波形ではあるが、信号の振幅値が中心の零付近に存在しないで、しかも振幅の極大（＋Ｖ３）または極小（−Ｖ３）の付近に集中的に偏って存在する信号波形である。この非連続波を用いてクロック信号源１１０に変調をかけると、変調波の振幅が中心（零電位）に存在しないので、図１０（ｂ）に示すような振幅値の中心（零電位）に相当するスペクトラムであるクロック中心周波数（ｆｏ）付近には、強いレベルのスペクトラムがなくなってしまうのである。
【００７１】
図１０（ｃ）は、図１０（ａ）の非連続な波形で変調したスペクトラム（図１０（ｂ）を、更にクロック信号源１１０の発振中心周波数を制御してｆｏ［Ｈｚ］からｆｏ２［Ｈｚ］に偏移させたスペクトラムである。
【００７２】
このように変調波形を振幅値の中心付近に振幅が存在しない非連続的な変調波に変更してクロックを変調することで、無線通信モジュール２００で使用している通信周波数帯の中の使用通信チャンネルに現れていたクロック中心周波数付近のスペクトラムによる電磁干渉波の影響を低減させることができ、クロック１１２から影響を受けない無線通信が可能となるのである。
【００７３】
スペクトラム拡散の変調波として、連続な波形でもまた急峻に変化する部分を有する非連続な波形でも、規則的な繰り返しの変調周波数（ｆｍ）を持った信号であれば、その繰り返し周波数（ｆｍ）を持った変調波によってクロック信号源１１０を変調した場合、クロック出力のＦＭ信号スペクトラムは，クロックの中心周波数から規則的な繰り返し周波数（ｆｍ）の整数倍ごとに離れたところに線状の側帯波スペクトラムを多く生じさせていた（図９、１０のスペクトラムを参照）。
【００７４】
図１１は、クロック信号源１１０を変調しない場合と変調波で変調を行った場合のクロックの基本波とその高調波のスペクトラム、および無線通信で使用する周波数帯との関係を示すものである。
【００７５】
図１１（ａ）は、無変調時のクロック信号とその高調波のスペクトラムと無線通信帯とを示しており、無変調の基本波がＥＭＩ基準レベルを満足していない場合の例を示している。
【００７６】
また、図１１（ｂ）は、既に説明した図９（ａ）のような振幅の大きい変調波で幅広い拡散変調をした場合のクロック信号とその高調波のスペクトラムであって、無線通信帯との関係をみると、拡散したクロックの高調波スペクトラムがたまたま無線通信周波数帯全てを覆って重なり電磁干渉をしている例である。
【００７７】
また、図１１（ｃ）は既に説明した図９（ｃ）のような振幅の小さい変調波で幅の狭い拡散変調をした場合のクロック信号とその高調波のスペクトラムであって、無線通信帯との関係をみると、無線通信周波数帯よりも拡散変調幅が少ないので、無線通信ができる周波数帯（チャンネル）が少し残されている場合のスペクトラム例である。
【００７８】
また、図１１（ｄ）は、図１０で既に説明した急峻に変化する部分を有する非連続的な波形により変調した場合のクロック信号とその高調波のスペクトラムと、無線通信周波数帯との関係を示すもので、無線周波数帯より狭い範囲の拡散変調幅で、クロック中心周波数付近のスペクトラムレベルが弱くなり、その両側に比較的に強いレベルのスペクトラムが生じるように拡散させた例である。
【００７９】
図１２は、本発明のクロック干渉制御手段３０であるクロック制御回路３００の実施例である。以下、図１２のクロック制御回路の実施例を用いて、構成と動作につて説明する。
【００８０】
図１２において、無線モジュール種別処理回路３１４は、無線通信モジュール２００からのモジュール種別信号８３を入力し、そのモジュールの種別の判断をした出力信号を、通信品質処理回路３１３と通信中処理回路３１２と、搭載無線通信モジュール２００の無線通信方式毎に異なる拡散変調幅のΔＦ初期設定３６するΔＦ設定回路３３１とに出力する。
【００８１】
ΔＦ設定回路３３１からは、例えば変調波を増幅するＡＭＰ３６１の増幅利得を１に設定するための振幅設定信号３４を出力する。
通信中処理回路３１２は、無線通信モジュール２００からの通信開始終了信号８１を入力し、通信が開始されて終了する寸前までの通信中には、例えばＨレベルの信号を、また通信を終了した時から通信の開始直前までの非通信中には、例えばＬレベルの信号を検出し、通信品質処理回路３１３に通信中か否かの情報を出力して通信中処理を指示し、非通信中の場合は連続波ＲＯＭ（１）３２１へ幅広い拡散変調をさせるデータを出力させる指示信号を出力する。
【００８２】
通信品質処理回路３１３は、前記無線モジュール種別処理回路３１４からのモジュール種別信号８３と、通信中処理回路３１２からの通信開始終了信号８１と、無線通信モジュール２００からの無線通信の回線品質信号８２のビット・エラー・レイト（ＢＥＲ）とを入力し、ＢＥＲが０〜ａ％以下で連続波ＲＯＭ（２）３２２を選択して動作を指示し、ＢＥＲがａ〜ｂ％（ａ＜ｂ）なら非連続ＲＯＭ３２３を選択して動作を指示し、ＢＥＲがｂ〜ｃ％（ｂ＜ｃ）なら変調波のＲＯＭ（連続波ＲＯＭ（２）３２２、非連続波ＲＯＭ３２３）からの読み出し速度を変えることをＲＯＭデータ制御回路３１５に指示して変調周波数（ｆｍ）を変えるか、又は中心周波数ＲＯＭ３２４に指示を出しクロック中心周波数（ｆｏ）を少し変えるか、又はスイッチＳＷ３５１に対して変調ＯＦＦ信号３３で指示を出して無変調にするかの何れかを行い、次の無線通信モジュール２００からのＢＥＲ値を計測して、そうした判断および処理を記憶回路３１１（図２参照）により繰り返し行うようにしている。
【００８３】
ＲＯＭデータ制御回路３１５は、通信品質処理回路３１３からの信号によりＲＯＭ（連続波ＲＯＭ（２）３２２、非連続波ＲＯＭ３２３，中心周波数ＲＯＭ３２４）の選択情報を受け、選択指示されたＲＯＭのアドレス制御や読み出し速度制御を行うことと、前記選択されたＲＯＭの信号がマルチプレクサ３４１で選択されてＤＡ変換回路３４２からアナログ信号になったＲＯＭデータが出力するように切替える制御とを行う回路である。また、このＲＯＭデータ制御回路３１５では、ＲＯＭの読み出し速度を変えて変調周波数（ｆｍ）を変えることができるものである。
【００８４】
連続波ＲＯＭ（１）３２１は図９（ａ）に示すような振幅の大きな正弦波の変調波のデータを記憶し、連続波ＲＯＭ（２）３２２は図９（ｃ）に示すような振幅の小さな正弦波の変調波のデータを記憶しており、また非連続波ＲＯＭ３２３は、図１０（ａ）に示すような振幅が急峻に変化する部分を有する非連続な波形で振幅値が中心になく正の極大域か又は負の極小域の値（図１０（ａ）の＋Ｖ３、又は−Ｖ３）に振幅密度の高いデータの波形データを記憶している。
【００８５】
中心周波数ＲＯＭ３２４は、ＢＥＲを観測してクロック信号源１１０の中心周波数（ｆｏ）を変える指示を受けた場合、例えばクロックの中心周波数（ｆｏ）から少量の周波数Δｆだけ、＋Δｆシフトさせ、次のＢＥＲを観測し、前回に比べてＢＥＲが小さく（通信が良好に）なっておれば，通信品質処理回路３１３から中心周波数のシフト指示信号は出ないので中心周波数は変更はせずそのままの周波数（ｆｏ＋Δｆ）とし、またＢＥＲが大きく（悪化）なっておれば、中心周波数のシフト指示信号が再度出て、今度は別の中心周波数（ｆｏ−Δｆ）にシフトさせ、更にまた次のＢＥＲを観測し行き同様な処理をさせる中心周波数（ｆｏ）の変更用データが入れられている。
【００８６】
クロック信号源の具体的な中心周波数の変更方法は、前回に比べてＢＥＲが小さくなって良くなれば中心周波数はそのままとし、悪化すればまた次の中心周波数へとシフトをさせ、順次，元の中心周波数ｆｏからどんどん離れていくような変更データで、例えば、発散的に変化させるためのデータ（ｆｏ，ｆｏ＋Δｆ，ｆｏ−Δｆ、ｆｏ＋２Δｆ、ｆｏ−２Δｆ、、、、ｆｏ＋ｎΔＦ、ｆｏ−ｎΔＦ、、、）を中心周波数ＲＯＭ３２４に記憶しておき、中心周波数を次々と繰り返し変更できるように記憶しておくことで、順次ＢＥＲの監視と前記中心周波数処理とにより、許容値以下の良好なＢＥＲになるまで繰り返し中心周波数をシフトをさせるのである。
【００８７】
マルチプレクサ３４１は、ＲＯＭデータ制御回路３１４からの制御信号の指示により、変調波のデータが格納されている連続波ＲＯＭ（１）３２１か，連続波ＲＯＭ（２）３２２か，非連続波ＲＯＭ３２３かの各種の変調信号用データから切替え選択する回路である。
【００８８】
ＤＡ変換回路３４２は、連続波ＲＯＭ（１）３２１，連続波ＲＯＭ（２）３２２，非連続波ＲＯＭ３２３に記憶されている何れかの変調波をマルチプレクサで選択した波形データ（デジタルデータ）をアナログデータ（アナログ電圧）に変換して出力するものである。
【００８９】
ＤＡ変換回路３４３は、前記の中心周波数ＲＯＭ３２４に記憶されている、クロックの中心周波数データ（デジタルデータ）をアナログデータ（アナログ電圧）に変換し出力するものである。
【００９０】
スイッチＳＷ３５１は、ＤＡ変換器３４２からの変調信号を通過又は阻止させるもので、通信品質処理回路３１３からの指示信号でクロック信号源１１０の電圧制御発振器（ＶＣＯ）に入力からの変調波を通過させて拡散変調するか又は阻止して無変調（変調ＯＦＦ）に設定するかの選択をするものである。
【００９１】
ＡＭＰ３６１は、通信品質処理回路３１３からの振幅設定信号３４により増幅利得（ゲイン）が制御され、その結果ＡＭＰ３６１出力に現れる変調波の振幅を変えることができるため、その出力をＶＣＯ１１０に入れることにより、クロックの拡散幅（ΔＦ）を可変することができる可変利得増幅器である。
【００９２】
ＡＤＤ３７１は，ＤＡ変換回路３４３からの中心周波数を変更する信号をＡＭＰ３６１出力からの変調波の信号に加算するための加算器である。
ＡＭＰ３８１は、ＡＤＤ３７１からの変調信号を緩衝増幅して、コンピュータ１００のクロック信号源１１０であるＶＣＯに供給して周波数制御を行わせるものであり、例えば利得が１の緩衝増幅器である。
【００９３】
なお、これまでに述べた各ＲＯＭは、説明の便宜上分けたブロックで説明したが、ハードウエアの構成としては、一つのＲＯＭにしてもよい。尚、図２で述べた記憶回路３１１は、これまで説明したクロックの中心周波数変更や変調周波数変更、変調波形データ、それらの選択や判断およびその処理手順までを含めた記憶に関する全てを包含した総称であって、ハードウエアとしては一つのＲＯＭなどの記憶回路で構成してよいものである。
【００９４】
図１３は、本発明の情報処理装置の動作フロー（その７）であり、これまでの情報処理装置の動作フロー（その１）から（その６）までの動作フローを取り込んで、総合的に表した動作のフローチャートである。
【００９５】
図１３の装置が動作をし始めると（ステップＳ１００）、装置のカードスロットにどんな通信手段の無線通信モジュール２００が差し込まれているかを見るため、その無線通信モジュール２００からのモジュール種別信号８３を見て（ステップＳ２１０）、使用するモジュールの種別から効果的な拡散幅（ΔＦ）などの変調パラメータを初期設定用として用意する（ステップＳ２１１）。
【００９６】
無線通信モジュール２００からの通信開始終了信号８１により、無線通信している通信中か、またはカードスロットに無線通信モジュール２００が差し込まれていない場合も含めた非通信中かを判断する（ステップＳ３００）。
【００９７】
非通信中の時は、モジュールの種別ごとにＥＭＩ性能を強化して電磁干渉の起こり難い幅広い周波数帯に渡ってクロック信号をスペクトラム拡散させる拡散変調幅（ΔＦ）のデータを有する連続波ＲＯＭ（１）３２１を選んで（ステップＳ４００）、クロックの拡散変調を行う（ステップＳ６００）。
【００９８】
通信中になると通信品質であるＢＥＲを計測して、初回のＢＥＲ計測の場合とＢＥＲが良好な計測をした場合には、ＲＯＭの再選択をしない（初回はモジュール種別判断による初期値設定、２回目以降は既に設定されている）で、ΔＦ、ｆｍ、ｆｏも変更しないようにする。ＢＥＲ計測が２回目以降で、ＢＥＲがある予め決められた値より悪い場合にはΔＦ、ｆｍ、ｆｏの変更を行うかどうかの判断処理に入る（ステップＳ５６１）。
【００９９】
次に、前回計測のＢＥＲと今回計測のＢＥＲを比較して、今回が前回と同等以上に通信環境が良い場合はΔＦ、ｆｍ、ｆｏの変更処理はせず、前回に比べて悪化した場合にはΔＦ、ｆｍ、ｆｏの変更処理に入る（ステップＳ５６２）。
【０１００】
ＢＥＲ値が前回に比べて今回のＢＥＲ値が悪化した場合は、ΔＦ、ｆｍ、ｆｏの再設定を行い、先ず拡散変調幅（ΔＦ）の再設定するかどうかを判断（ステップＳ５６３）し、連続してΔＦを変更しているような時にはΔＦの再設定をし、（ステップＳ５６４）し、ΔＦ再設定ではない場合には、変調周波数（ｆｍ）の再設定か中心周波数（ｆｏ）の再設定かを判断（ステップＳ５６５）し、ｆｍの変更を連続しているときにはｆｍの再設定（ステップＳ５６６）を行い、ｆｏの変更を連続している時にはｆｏの再設定（ステップＳ５６７）を行う。
【０１０１】
ΔＦ、ｆｍ、ｆｏの再設定を完了したら、その同一パラメータ設定を何回再設定したかを記録（ステップＳ５６８）し、クロックの変調を行い、その再設定パラメータの設定値を次回変更の参考のために記憶する（ステップＳ６００）。
【０１０２】
ＢＥＲ計測が初回時または良好な場合とＢＥＲ計測値が前回よりも今回の計測が良好な場合には、ＲＯＭを再選択するかそのままのＲＯＭ使用かの判断をする（ステップＳ５７１）。例えば、変調周波数（ｆｍ）を変更する場合には、ＲＯＭを変更せずそのままのＲＯＭを使用し、ＲＯＭからの読み出し速度のみ変更するので、前回指示ＲＯＭを使用する（ステップＳ５８４）。
【０１０３】
ＲＯＭの再選択をする場合は、その再設定前に現在のＢＥＲ値と変調パラメータ各設定値を記憶して，次回の処理のため記憶する（ステップＳ５７２）。次に、今回計測したＢＥＲを見て、各種の変調波形の再選択を行う（ステップＳ５７３）。例えば、今回計測したＢＥＲがある値、ａ％以下の場合は正弦波などの連続波ＲＯＭ（２）３２２を選択し（ステップＳ５８１）、ａ〜ｂ％（ａ＜ｂ）の場合は図１０（ａ）のような波形データの非連続ＲＯＭ３２３を選択し（ステップＳ５８２）、ｂ％以上の場合は変調をＯＦＦするかどうかのために、更にＢＥＲ値がｃ％以上（ｂ＜ｃ）かどうかを見て（ステップＳ５７４）、ｂ％以上でｃ％以下ならＲＯＭを前回設定のまま使用とし、また初回の指示の場合もＲＯＭの選択変更をせず（ステップＳ５８４）、ｃ％以上ならクロックの変調をＯＦＦさせる選択をする（ステップＳ５８３）。
【０１０４】
以上のようにしてＲＯＭの選択や変調パラメータの設定が完了すると、選択されたＲＯＭで所定の変調パラメータでクロック信号源１１０に変調を行うと共に、その変調したパラメータを次回処理の参照用に記録して（ステップＳ６００）、クロック信号源１１０からクロックを出力（ステップＳ７００）する。
【０１０５】
ΔＦ、ｆｍ、ｆｏの三つの変調パラメータを再設定する方法は、色々な順で変更する仕方があるが、以下を例として説明する。
図１３のΔＦ再設定判断（ステップＳ５６３）は、クロック信号源１１０の変調を何回かΔＦのパラメータを変えて変調幅ΔＦを狭くして行き（ステップＳ５６４），周波数帯の重なる確率を小さくするような変調幅設定をしても、それほどＢＥＲ値が前回に比べて今回のＢＥＲ値が良くならない場合は、ΔＦを変更前の最初の値に戻して、次のｆｍ（ステップＳ５６６）又はｆｏ（ステップＳ５６７）の何れかの再設定（ステップＳ５６５）を連続して行い、最後に残ったｆｏ又はｆｍのパラメータを連続して変更する。そうしてΔＦ、ｆｍ、ｆｏの三つを一巡させててもＢＥＲ値が良くならない場合には、再び最初のΔＦの変更（ステップＳ５６４）から繰り返して前回より大きい変化を与えるループの処理にさせる。このように繰り返して変調パラメータのΔＦ、ｆｍ、ｆｏ各値を自動的に変更し、何回かループしているうちには通信環境の良い状態になるか又は無線通信環境も変化して、ＢＥＲ値が前回より良い方向に変わってこの変調制御のパラメータ変更処理ループから抜け出すことができる。
【０１０６】
変調波の変調周波数（ｆｍ）を再設定（ステップＳ５６６）例としては、ＲＯＭデータ制御回路３１５に設定回数によりＲＯＭからの読み出し速度を変えるデータを予め入れておき、連続してｆｍを変更する場合は、その再設定回数（ステップＳ５８４）により順次、変調波のＲＯＭ（連続波ＲＯＭ（２）３２２、非連続波ＲＯＭ３２３）からの読み出し速度を変えて、変調周波数（ｆｍ）を変更することにより異なる変調周波数（ｆｍ）に変化させることができる。
【０１０７】
拡散の変調幅ΔＦの再設定（ステップＳ５６４）をする例としては、ＲＯＭデータ制御回路３１５に設定回数で異なるΔＦに変更ができるデータを入れておき、連続してΔＦ変更する場合は、その再設定回数（ステップＳ５８４）を見て、順次、次の異なるΔＦに変化させることができる。
【０１０８】
クロック信号源１１０のクロック発振の中心周波数（ｆｏ）を変更する方法は、中心周波数変更ＲＯＭ３２４に再設定（ステップＳ５６７）指示することで、その再設定回数（ステップＳ５８４）を見て、予め入れられている中心周波数ｆｏデータにより設定回数で，ｆｏを順次変化させて、次々と異なるｆｏに変更することができる。
【０１０９】
なお、これまで図１１に示すクロック信号源１１０を電圧制御オシレータ（ＶＣＯ）として説明したが、変形として、出力周波数を可変できるフェイズドロックループ（ＰＬＬ）の原理で周波数コントロールするＰＬＬシンセサイザーや位相ロック発振器（ＰＬＯ）であっても周波数を可変できるクロック信号源であればよい。また、その発振器の変更に伴うクロック制御回路３００のＤＡ変換回路、ＡＭＰ、ＡＤＤ等もハード的な変更をしても機能的に同じであればよい。
【０１１０】
また、本発明の無線機能付き情報処理装置１のクロック制御回路３００は、コンピュータ１００とは別の構成にして説明したが、そのコンピュータ１００の中に含まれていてもよいものである。また、更にクロック制御回路３００は、コンピュータ１００の中に構成上含まれていても、又は無線通信モジュール２００側に含まれていても、クロック制御回路３００の実施例（図１２参照）に示した回路機能と同機能を果たすものであるなら本発明の無線機能付き情報処理装置１の構成上どこにあってもよいものである。
【０１１１】
また、本発明に使用する無線通信モジュール２００は、本発明の無線機能付き情報処理装置１の近傍において接続する独立した携帯無線機や、１０ｍ程度の距離で機器間を近距離無線データ伝送するトランシーバであっても良く、前述した内蔵するカードスロットに入れる無線通信モジュール２００と同機能を果たすものであれば本発明の原理を応用することができる。
【０１１２】
【発明の効果】
従来はパソコン等の情報処理装置でのＥＭＩ対策のためにクロック信号源にスペクトラム拡散を利用していたが、無線通信モジュールを搭載した情報処理装置は、至近距離でそのクロック信号源の基本波や高調波が無線通信モジュールのアンテナに入り込み、無線通信周波数帯域に入って通信チャンネルが潰されていた。このような問題を解決するために、本発明は、クロック干渉制御手段から無線通信モジュールが通信で使用する周波数帯を確保するように、情報処理手段のクロックの変調条件を制御することにより、変調されたクロックからの電磁波が無線通信手段に影響しないようにする又は軽減することができると共に、ＥＭＩ対策を行うこともできる。
【０１１３】
また、他の情報処理装置との間でも、そのクロック信号源に周波数変調が行える外部端子等を有するならば、本発明による制御を行って、無線通信手段が他の情報処理装置からのクロックの基本波や高調波の電磁干渉を軽減または無くして無線通信を可能にする無線機の環境を設定することができる。
【０１１４】
従って、本発明により、情報処理手段で使用するクロックの基本波や高調波からの電磁干渉を軽減または無くして無線通信を可能とすることができる無線機能付き情報処理装置を提供することができる。
【図面の簡単な説明】
【図１】本発明の情報処理装置原理ブロック図
【図２】本発明の情報処理装置実施例ブロック図
【図３】本発明の情報処理装置の動作フロー（その１）
【図４】本発明の情報処理装置の動作フロー（その２）
【図５】本発明の情報処理装置の動作フロー（その３）
【図６】本発明の情報処理装置の動作フロー（その４）
【図７】本発明の情報処理装置の動作フロー（その５）
【図８】本発明の情報処理装置の動作フロー（その６）
【図９】連続変調波による周波数変調スペクトラム例
【図１０】非連続変調波による周波数変調スペクトラム例
【図１１】クロック信号とその高調波スペクトラムの関係
【図１２】クロック制御回路の実施例
【図１３】本発明の情報処理装置の動作フロー（その７）
【図１４】従来技術の無線機能付き情報処理装置ブロック図
【符号の説明】
１  無線機能付き情報処理装置
２  無線通信相手装置
３  他機器
４    従来技術の無線機能付き情報処理装置
１０  情報処理手段
１１    クロック信号変調手段
１２  ＣＰＵ
１３  メモリ
１４  チップセット
１５  ビデオチップ
２０  無線通信手段
２１    アンテナ
３０  クロック干渉制御手段
３１    記憶手段
３２    ΔＦ変更設定信号
３３    変調ＯＦＦ信号
３４    振幅設定信号
３５    中心周波数設定信号
３６    ΔＦ初期設定信号
８１  通信開始終了信号
８２  回線品質信号
８３  モジュール種別信号
９１  変調信号
１００  コンピュータ
１１０  クロック信号源
１１１  スペクトラム拡散機能付クロック信号源
１１２    クロック
２００  無線通信モジュール
３００  クロック制御回路
３１１    記憶回路
【図１】
0003593936.tif 000002
【図２】
0003593936.tif 000003
【図３】
0003593936.tif 000004
【図４】
0003593936.tif 000005
【図５】
0003593936.tif 000006
【図６】
0003593936.tif 000007
【図７】
0003593936.tif 000008
【図８】
0003593936.tif 000009
【図９】
0003593936.tif 000010
【図１０】
0003593936.tif 000011
【図１１】
0003593936.tif 000012
【図１２】
0003593936.tif 000013
【図１３】
0003593936.tif 000014
【図１４】
0003593936.tif 000015